(57)【特許請求の範囲】
【請求項１】
湯水を貯湯する貯湯タンクと、前記貯湯タンク下部に給水する給水管と、前記貯湯タンク上部からの湯を給湯する給湯管と、前記貯湯タンク内の湯水を加熱する加熱手段と、前記貯湯タンク下部と前記加熱手段と前記貯湯タンク上部とを接続する加熱循環回路と、前記加熱循環回路途中に設けられた加熱循環ポンプと、前記貯湯タンク内の湯を熱源として浴槽水を加熱する風呂熱交換器と、浴槽と前記風呂熱交換器とを浴槽水が循環可能に接続する風呂循環回路と、前記風呂循環回路途中に設けられた風呂循環ポンプと、前記貯湯タンク内の湯水の温度を検出する貯湯温度センサと、前記風呂循環ポンプを駆動して浴槽水を加熱する追い焚き運転を行わせる追い焚き制御手段と、前記追い焚き運転を実施した最先の時刻を過去複数日分記憶する追い焚き実施時刻記憶手段と、深夜時間帯に前記加熱手段と前記加熱循環ポンプを駆動して沸き上げ温度まで加熱した湯を前記貯湯タンクに貯める沸き上げ運転を行わせる沸き上げ制御手段と、過去の給湯実績などから前記沸き上げ温度を決定する沸き上げ温度決定手段と、前記貯湯温度センサの出力に基づき沸き増しが必要か否かを判別する沸き増し判別手段と、深夜時間帯以外の時間帯に前記沸き増し判別手段が沸き増し必要と判別すると前記加熱手段と前記加熱循環ポンプを駆動して沸き増し温度まで加熱した湯を前記貯湯タンクに貯める沸き増し運転を行わせる沸き増し制御手段と、前記追い焚き実施時刻記憶手段が追い焚き実施時刻を記憶していない場合には、前記沸き増し温度を前記沸き上げ温度決定手段で決定している沸き上げ温度とし、前記追い焚き実施時刻記憶手段が追い焚き実施時刻を記憶している場合には、前記追い焚き実施時刻記憶手段が記憶している追い焚き実施時刻のうち最も早い時刻を判別し、その最も早い時刻よりも一定時間だけ早い時刻を追い焚き温度変更時刻とし、この追い焚き温度変更時刻よりも前の時間帯は前記沸き増し温度を前記沸き上げ温度決定手段で決定している沸き上げ温度とし、前記追い焚き温度変更時刻から所定の時刻までの間は、前記沸き増し温度を前記沸き上げ温度よりも高い予め定められた追い焚き用温度とする沸き増し温度決定手段とを備えたことを特徴とする貯湯式給湯装置。
【請求項２】
前記追い焚き実施時刻記憶手段は、浴槽水の温度を所定温度以上昇温させる追い焚き運転を行った場合に、その時刻を記憶するようにしたことを特徴とする請求項１記載の貯湯式給湯装置。
【請求項３】
前記予め定められた追い焚き用温度は、前記沸き上げ温度決定手段で決定された沸き上げ温度に所定温度を加えた温度としたことを特徴とする請求項１または２記載の貯湯式給湯装置。
【請求項４】
前記予め定められた追い焚き用温度が所定の上限温度を超える場合は、前記所定の上限温度を予め定められた追い焚き用温度とすることを特徴とする請求項３記載の貯湯式給湯装置。
【発明の詳細な説明】
【技術分野】
【０００１】
本発明は、貯湯タンク内の湯を熱源として浴槽水の追い焚き運転を行う貯湯式給湯装置に関するものである。
【背景技術】
【０００２】
従来よりこの種の貯湯式給湯装置では、特許文献１に開示されているように、湯水を貯湯する貯湯タンクと、貯湯タンク内の湯水を循環して加熱する加熱手段と、貯湯タンク内の湯を熱源として浴槽水を加熱する風呂熱交換器と、浴槽と風呂熱交換器とを浴槽水が循環可能に接続する風呂循環回路と、風呂循環回路途中に設けられた風呂循環ポンプと、風呂循環ポンプを駆動して浴槽水を加熱する追い焚き運転を行わせる追い焚き制御手段とを備え、過去の給湯実績と追い焚き実績とに基づき、追い焚き実績があると温度が高くなるように沸き上げ温度を決定し、深夜時間帯に加熱手段で沸き上げ温度まで加熱した湯を貯湯タンクに貯める沸き上げ運転を行わせると共に、深夜時間帯以外の時間帯において、貯湯タンク内の残湯量が少なくなった場合に、過去の給湯実績と追い焚き実績とに基づいた沸き上げ温度まで加熱した湯を貯湯タンクに貯める沸き増し運転を行うようにし、浴槽水の追い焚き加熱能力を確保するようにしたものがあった。
【先行技術文献】
【特許文献】
【０００３】
【特許文献１】特開２００７−３１６２号公報
【発明の概要】
【発明が解決しようとする課題】
【０００４】
しかし、この従来のものでは、深夜時間帯から追い焚き実績を考慮した高温の沸き上げ温度で沸き上げるため、深夜時間帯の沸き上げ開始時刻から一般的に夕方以降の浴槽水の追い焚き運転の開始までの長時間の間に多量に放熱してしまい、熱ロスが大きく非効率的であるという問題があった。
【課題を解決するための手段】
【０００５】
本発明は、上記課題を解決するため、湯水を貯湯する貯湯タンクと、前記貯湯タンク下部に給水する給水管と、前記貯湯タンク上部からの湯を給湯する給湯管と、前記貯湯タンク内の湯水を加熱する加熱手段と、前記貯湯タンク下部と前記加熱手段と前記貯湯タンク上部とを接続する加熱循環回路と、前記加熱循環回路途中に設けられた加熱循環ポンプと、前記貯湯タンク内の湯を熱源として浴槽水を加熱する風呂熱交換器と、浴槽と前記風呂熱交換器とを浴槽水が循環可能に接続する風呂循環回路と、前記風呂循環回路途中に設けられた風呂循環ポンプと、前記貯湯タンク内の湯水の温度を検出する貯湯温度センサと、前記風呂循環ポンプを駆動して浴槽水を加熱する追い焚き運転を行わせる追い焚き制御手段と、前記追い焚き運転を実施した最先の時刻を過去複数日分記憶する追い焚き実施時刻記憶手段と、深夜時間帯に前記加熱手段と前記加熱循環ポンプを駆動して沸き上げ温度まで加熱した湯を前記貯湯タンクに貯める沸き上げ運転を行わせる沸き上げ制御手段と、過去の給湯実績などから前記沸き上げ温度を決定する沸き上げ温度決定手段と、前記貯湯温度センサの出力に基づき沸き増しが必要か否かを判別する沸き増し判別手段と、深夜時間帯以外の時間帯に前記沸き増し判別手段が沸き増し必要と判別すると前記加熱手段と前記加熱循環ポンプを駆動して沸き増し温度まで加熱した湯を前記貯湯タンクに貯める沸き増し運転を行わせる沸き増し制御手段と、前記追い焚き実施時刻記憶手段が追い焚き実施時刻を記憶していない場合には、前記沸き増し温度を前記沸き上げ温度決定手段で決定している沸き上げ温度とし、前記追い焚き実施時刻記憶手段が追い焚き実施時刻を記憶している場合には、前記追い焚き実施時刻記憶手段が記憶している追い焚き実施時刻のうち最も早い時刻を判別し、その最も早い時刻よりも一定時間だけ早い時刻を追い焚き温度変更時刻とし、この追い焚き温度変更時刻よりも前の時間帯は前記沸き増し温度を前記沸き上げ温度決定手段で決定している沸き上げ温度とし、前記追い焚き温度変更時刻から所定の時刻までの間は、前記沸き増し温度を前記沸き上げ温度よりも高い予め定められた追い焚き用温度とする沸き増し温度決定手段とを備えたものとした。
【０００６】
また、前記追い焚き実施時刻記憶手段は、浴槽水の温度を所定温度以上昇温させる追い焚き運転を行った場合に、その時刻を記憶するようにした。
【０００７】
また、前記予め定められた追い焚き用温度は、前記沸き上げ温度決定手段で決定された沸き上げ温度に所定温度を加えた温度とした。
【０００８】
また、前記予め定められた追い焚き用温度が所定の上限温度を超える場合は、前記所定の上限温度を予め定められた追い焚き用温度とするようにした。
【発明の効果】
【０００９】
本発明によれば、追い焚き実績のあった時間帯の前の時間帯から沸き増し温度が高い温度に変更されるため、追い焚き運転が開始されるであろう時間帯の直前までは深夜時間帯の沸き上げ温度も含めて比較的低い温度で沸き上げ、沸き増しがされることとなり、追い焚き運転の開始までの間に貯湯タンクから放熱する熱ロスを低減できると共に、追い焚き実績のあった直前では追い焚き用温度で沸き増しされ、追い焚き運転の能力を適切に確保することができるものである。。
【００１０】
また、追い焚き実施時刻記憶手段は、浴槽水の温度を所定温度以上昇温させる追い焚き運転を行った場合に、その時刻を記憶するようにしたので、追い焚き運転での消費熱量が多く、沸き増し温度を高くする必要性があると推測される場合に沸き増し温度が高くされ、追い焚き運転での消費熱量が少なく、沸き増し温度を高くする必要性がないと推測される場合には沸き増し温度は高くされないため、無駄に昇温する機会を抑制することができる。
【図面の簡単な説明】
【００１１】
【図１】本発明の一実施形態の概略構成図
【図２】同一実施形態の制御ブロック図
【図３】同一実施形態の作動を説明するフローチャート
【発明を実施するための形態】
【００１２】
次に、本発明の一実施形態を図面に基づいて説明する。
１は湯水を貯湯する貯湯タンク、２は貯湯タンク１の下部に給水する給水管、３は貯湯タンク１の上部から出湯する出湯管、４は給水管２から分岐される給水バイパス管、５は出湯管３からの湯と給水バイパス管４からの水とを混合する給湯混合弁、６は給湯混合弁５で混合された湯を給湯栓７へ導く給湯管である。
【００１３】
８は混合弁５で混合された湯水の温度を検出する給湯温度センサ、９は給湯管６を流れる湯水の流量を検出する給湯流量センサ、１０は給水バイパス管４を流れる水の温度を検出する給水温度センサ、１１ａ〜ｅは貯湯タンク１の側面上下に複数個設けられて貯湯タンク１の貯湯温度を検出する貯湯温度センサ、このうち貯湯タンク１の最下部の貯湯温度センサ１１ｅは、沸き上げ運転の終了を判定する沸き終い温度センサとして機能するものである。１２は給水管２に設けられ給水圧を減圧する減圧弁、１３は貯湯タンク１に連通された管路に設けられ貯湯タンク１内の過圧を逃がす過圧逃がし弁である。
【００１４】
１４は貯湯タンク１内の上部に配置されて浴槽１５内の浴槽水を循環して加熱するための風呂熱交換器、１６は浴槽１５と風呂熱交換器１４とを浴槽水が循環可能に接続する風呂循環回路、１７は風呂循環回路１６途中に設けられて浴槽水を循環させる風呂循環ポンプ、１８は風呂循環ポンプ１７の吸入側に設けられて浴槽水の温度を検出する風呂温度センサ、１９は浴槽１５内の水位を検出する水位センサである。
【００１５】
２０は給湯管６の給湯流量センサ９より下流側から分岐されて風呂循環回路１６に接続された湯張り管、２１は湯張り管２０途中に設けられた湯張り電磁弁である。
【００１６】
２２は貯湯タンク１の下部からの湯水を循環させて貯湯タンク１上部に戻す加熱循環回路、２３は加熱循環回路２２の途中に設けられて循環する湯水を加熱するための冷媒水熱交換器、２４は加熱循環回路２２の冷媒水熱交換器２３よりも上流側に設けられた加熱循環ポンプ、２５は冷媒水熱交換器２３に流入する水の温度を検出する入水温度センサ、２６は冷媒水熱交換器２３で加熱された湯の温度を検出する沸き上げ温度センサである。
【００１７】
２７は冷媒を圧縮して冷媒水熱交換器２３の一次側に圧送する圧縮機、２８は冷媒水熱交換器２３から流出した冷媒を膨張させる膨張弁、２９は膨張弁２８で膨張された冷媒を蒸発させる蒸発器としての空気熱交換器、３０は圧縮機２７と水冷媒熱交換器２３の一次側と膨張弁２８と空気熱交換器２９とを環状に接続する冷媒配管、３１は空気熱交換器２９へ加熱源となる空気を送風する送風機、３２は外気温度を検出する外気温度センサであり、これらの要素によってヒートポンプ式の加熱手段３３を構成している。
【００１８】
３４は給湯温度や各種必要な設定を行うためのリモートコントローラで、給湯設定温度や風呂設定温度を表示する表示部３５と、給湯設定温度や風呂設定温度を変更するための温度変更スイッチ３６と、浴槽１５へ所定水位の湯張りと風呂設定温度の保温を自動的に行わせる風呂自動運転を行わせる風呂スイッチ３７と、浴槽水を風呂設定温度＋α℃まで加熱する追い焚き運転を行わせる追い焚きスイッチ３８と、このリモートコントローラ３４の作動を制御するリモコン制御部３９とを備えている。
【００１９】
４０はこの貯湯式給湯装置の作動を制御する制御部で、予め作動を制御するためのプログラムが記憶されていると共に、演算、比較、記憶機能、カウント機能を備えたＭＰＵを有し、給湯温度センサ８、給湯流量センサ９、給水温度センサ１０、貯湯温度センサ１１ａ〜ｅ、風呂温度センサ１８、水位センサ１９、入水温度センサ２５、沸き上げ温度センサ２６、外気温度センサ３２にて検出される値が入力され、給湯混合弁５、風呂循環ポンプ１７、湯張り開閉弁２１、加熱循環ポンプ２４、圧縮機２７、膨張弁２８、送風機３１の駆動を制御し、沸き上げ運転、給湯動作や風呂動作等を制御するもので、リモートコントローラ３４のリモコン制御部３９と通信可能に接続されているものである。
【００２０】
次に、制御部４０内に設けられた本発明の特徴的構成を図２の制御ブロック図に基づいて説明する。
【００２１】
４１はリモートコントローラ３４の追い焚きスイッチ３８がＯＮされたことを示す信号をリモコン制御部３９から受けると、風呂循環ポンプ１７を駆動して浴槽水を風呂熱交換器１４によって風呂設定温度＋α℃まで加熱する追い焚き運転を行わせる追い焚き制御手段である。
【００２２】
４２は追い焚き制御手段４１が一日のうち最初に追い焚き運転を実施した時刻ｔ１を直近の複数日分（例えば７日間分）記憶する追い焚き実施時刻記憶手段で、この追い焚き実施時刻記憶手段４２は、追い焚き運転において、浴槽水を所定温度（例えば５℃）以上昇温した場合あるいは所定温度以上昇温する必要があると判断した場合に追い焚き運転を実施した時刻ｔ１を記憶するようにしているものである。
【００２３】
４３は給湯温度センサ８や給湯流量センサ９の出力に基づいた給湯実績等の過去所定期間分のデータから沸き上げ温度を決定Ｔａする沸き上げ温度決定手段、４４は深夜時間帯にヒートポンプ式加熱手段３３と加熱循環ポンプ２４を駆動させて沸き上げ温度Ｔａまで加熱した湯を上部から貯湯タンク１に戻して一日に必要な量の湯を貯湯する沸き上げ運転を行わせる沸き上げ制御手段である。
【００２４】
４５は深夜時間帯以外の時間帯に貯湯温度センサ１１ａ〜ｅで検出する貯湯タンク１内の温度分布状態から、貯湯タンク１内の下部に給湯によって流入した水が一定量以上存在することを検知すると沸き増し可能な状態と判断し、沸き増し可能な状態でかつ深夜時間帯の沸き上げ運転および深夜時間帯以外の時間帯での沸き増し運転で一日に必要な量の湯が沸き上げ完了していない場合に、沸き増し運転が必要であると判別する沸き増し判別手段、４６は沸き増し判別手段４５が沸き増し必要と判別すると、ヒートポンプ式加熱手段３３と加熱循環ポンプ２４を駆動させて沸き増し温度Ｔｂまで加熱した湯を上部から貯湯タンク１に戻して残りの一日に必要な量の湯を貯湯する沸き増し運転を行わせる沸き増し制御手段である。
【００２５】
４７は追い焚き実施時刻記憶手段４２が追い焚き実施時刻ｔ１を記憶していない場合には、沸き増し温度Ｔｂを沸き上げ温度決定手段４３で決定している沸き上げ温度Ｔａとし、追い焚き実施時刻記憶手段４２が追い焚き実施時刻ｔ１を記憶している場合には、追い焚き実施時刻記憶手段４２が記憶している追い焚き実施時刻ｔ１のうち最も早い時刻ｔ１ｎを判別し、その最も早い時刻ｔ１ｎよりも一定時間（例えば３時間）だけ早い時刻を沸き増し温度変更時刻ｔ２として定め、深夜時間帯の終了時刻から沸き増し温度変更時刻ｔ２までの時間帯は沸き増し温度Ｔｂを沸き上げ温度決定手段４３で決定している沸き上げ温度Ｔａとし、沸き増し温度変更時刻ｔ２から所定の時刻ｔ３（例えば深夜時間帯の開始時刻としての２３時）までの間は、沸き増し温度Ｔｂを予め定められた追い焚き用温度Ｔｎとする沸き増し温度決定手段で、ここでは所定の上限温度（例えばヒートポンプ式加熱手段３３の仕様上の上限温度としての９０℃）を上限として、沸き上げ温度決定手段４３で決定された沸き上げ温度Ｔａに所定温度（例えば５℃）を加えた温度を予め定められた追い焚き用温度Ｔｎとしている。
【００２６】
＜給湯動作＞
次に、給湯時の動作について説明する。給湯栓７が開かれると、貯湯タンク１底部に給水管２からの水が流入すると共に、出湯管３から貯湯タンク１上部の高温の湯が流出し、給湯混合弁５によって給水バイパス管４からの水と混合されて給湯管６から流出する。そして、給湯流量センサ９が給湯の開始を検知すると、制御部４０は給湯温度センサ８が検知する給湯温度が給湯設定温度と一致するように給湯混合弁５の開度をフィードバック制御して、給湯栓７が閉じられるまで給湯設定温度の給湯が行われる。
【００２７】
このとき、制御部４０は給湯に消費された湯量（熱量）を、給湯流量、給湯温度、給水温度等から算出して当日分の給湯実績として積算して記憶するようにしている。そして、制御部４０は一日ごと複数日（ここでは７日間）分の積算給湯実績を複数日（ここでは７日間）にわたり記憶するようにしている。
【００２８】
＜風呂動作＞
次に、リモートコントローラ３４の風呂自動スイッチ３７が操作された場合の風呂動作について説明する。風呂自動スイッチ３７が操作されると、制御部４０は、水位センサ１９の検出する水位を確認して浴槽１５内に残り湯があるか否かを判別し、残り湯がない場合は、湯張り電磁弁２１を開弁すると共に給湯混合弁５を風呂設定温度となるように制御して、湯張り設定量の湯張りを開始する。
【００２９】
給湯流量センサ９が湯張り設定量をカウントすると、湯張り電磁弁２１を閉弁した後、風呂循環ポンプ１７を駆動して、風呂温度センサ１８で検出する浴槽水の温度が風呂設定温度より低い場合は、そのまま風呂循環ポンプ１７の駆動を継続して浴槽水の追い焚き運転を行い、浴槽水の温度が風呂設定温度に上昇すると、湯張り完了をリモートコントローラ３４で報知する。
【００３０】
このとき、制御部４０は湯張りに消費された湯量（熱量）を、給湯流量、給湯温度、給水温度等から算出して当日分の給湯実績として積算して記憶するようにしている。
【００３１】
一方、風呂自動スイッチ３７が操作されたときに、浴槽１５内に前日の残り湯があった場合は、あるいは追い焚きスイッチ３８が操作された場合は、風呂循環ポンプ１７を駆動して浴槽水の追い焚き運転を行い、風呂温度センサ１８が検出する浴槽水の温度が風呂設定温度＋α℃に達すると、風呂循環ポンプ１８の駆動を停止して追い焚き完了をリモートコントローラ３４で報知する。
【００３２】
＜沸き上げ運転＞
次に、沸き上げ運転について説明する。
予め定められた深夜時間帯の開始時刻になると、制御部４０は、記憶していた過去複数日分の積算給湯実績から翌日の給湯負荷を予測し、翌日の給湯負荷から目標貯湯量を算出し、貯湯温度センサ１１ａ〜ｅで検出する現在の貯湯タンク１の貯湯量を目標貯湯量から減算し、深夜時間帯の間に沸き上げる沸き上げ目標量を算出する。
【００３３】
また、沸き上げ温度決定手段４３は、制御部４０で記憶していた過去複数日分の積算給湯実績と、給水温度センサ１０または外気温度センサ３２で検出する温度とから沸き上げ温度Ｔａを定める。ここで、過去の積算給湯実績が多い場合や給水温度、外気温度が低い場合には沸き上げ温度Ｔａは高い温度に決定され、逆に積算給湯実績が少ない場合や給水温度、外気温度が高い場合には沸き上げ温度Ｔａは低い温度に決定される。また、ここでは追い焚き実績の有無は沸き上げ温度Ｔａの決定に反映されないようにしているが、追い焚き実績があった場合に、沸き上げ温度Ｔａを少々昇温させるようにすることを妨げるものではない。
【００３４】
制御部４０は、この沸き上げ温度Ｔａと、算出した沸き上げ目標量と、給水温度と、予め数値として記憶しているヒートポンプ式加熱手段３３の加熱能力とから沸き上げ必要時間を算出し、深夜時間帯の終了時刻から沸き上げ必要時間を遡って沸き上げ開始時刻を算出する。
【００３５】
そして、沸き上げ開始時刻が到来すると、沸き上げ制御手段４４は、沸き上げ温度センサ２６で検出する温度が沸き上げ温度Ｔａと一致するように圧縮機２７、膨張弁２８、送風ファン３１、加熱循環ポンプ２４を駆動して、ヒートポンプサイクルによる沸き上げ運転を開始し、ヒートポンプ式加熱手段３３で沸き上げ温度Ｔａに沸き上げた湯を貯湯タンク１の上部から貯湯していく。
【００３６】
貯湯タンク１最下部の貯湯温度センサ１１ｅが所定の沸き上げ終了温度以上を検出すると、沸き上げが終了したと判断して、沸き上げ制御手段４４は圧縮機２７、膨張弁２８、送風ファン３１、加熱循環ポンプ２４を駆動停止処理してヒートポンプサイクルによる沸き上げ運転を停止する。なお、沸き上げが終了する前に深夜時間帯の終了時刻となると、沸き上げ運転を停止するようにしている。
【００３７】
＜沸き増し運転＞
次に、沸き増し運転について説明する。
深夜時間帯の終了時刻になると、沸き増し判別手段４５は貯湯温度センサ１１ａ〜ｅで検出する現在の貯湯量を確認し、この貯湯量を給湯負荷に応じて算出された目標貯湯量から減算して不足量を算出し、この不足量と沸き上げ温度Ｔａと給水温度と加熱能力とから、不足分を昼間時間帯に沸き増すのに要する時間（予測沸き増し時間）を算出する。
【００３８】
そして、沸き増し判別手段４５は、貯湯タンク１の下から２番目に位置する貯湯温度センサ１１ｄが所定温度（ここでは５０℃）以下を検知すると、貯湯タンク１内の下部に給湯によって流入した水が一定量以上存在すると沸き増し可能な状態と判断し、予測沸き増し時間が残っていると沸き増し運転が必要と判別する。
【００３９】
沸き増し運転が必要と判別されると、沸き増し制御手段４６は、沸き上げ温度センサ２６で検出する温度が沸き増し温度Ｔｂと一致するように圧縮機２７、膨張弁２８、送風ファン３１、加熱循環ポンプ２４を駆動して、ヒートポンプサイクルによる沸き上げ運転を開始し、ヒートポンプ式加熱手段３３で沸き増し温度Ｔｂに沸き上げた湯を貯湯タンク１の上部から追加貯湯していく。この時、沸き増し判別手段４５は、沸き増し運転の実行継続時間を予測沸き増し時間から減算していくようにしている。
【００４０】
そして、貯湯タンク１最下部の貯湯温度センサ１１ｅが所定の沸き上げ終了温度以上を検出するか、または予測沸き増し時間の残り時間が０となると、沸き増し制御手段４６は圧縮機２７、膨張弁２８、送風ファン３１、加熱循環ポンプ２４を駆動停止処理してヒートポンプサイクルによる沸き増し運転を停止する。
【００４１】
この沸き増し運転における沸き増し温度Ｔｂの決定方法について、図３に示すフローチャートに基づいて説明する。
【００４２】
まず、深夜時間帯の終了時刻となると（ステップＳ１）、追い焚き実施時刻記憶手段４２は追い焚き実施時刻ｔ１が記憶されているかどうかを判別し（ステップＳ２）、記憶されている場合は、単数または複数記憶されている追い焚き実施時刻ｔ１のうち、最も早い時刻の追い焚き実施時刻ｔ１ｎを選定し（ステップＳ３）、この最先の追い焚き実施時刻ｔ１ｎを沸き増し温度決定手段４７に出力する。
【００４３】
そして、沸き増し温度決定手段４７は、ステップＳ４で最先の追い焚き実施時刻ｔ１ｎから一定時間（ここでは３時間）だけ早い時刻を沸き増し温度変更時刻ｔ２として算出すると共に、ステップＳ５で追い焚き用温度Ｔｎを沸き上げ温度決定手段４３が決定している沸き上げ温度Ｔａに所定温度を加えて算出する。
【００４４】
そして、現在時刻が沸き増し温度変更時刻ｔ２に到達したかどうかを判別し（ステップＳ６）、沸き増し温度変更時刻ｔ２以前であれば沸き増し温度Ｔｂを沸き上げ温度Ｔａとし（ステップＳ７）、沸き増し温度変更時刻ｔ２以後であれば沸き増し温度ＴｂをステップＳ５で算出した追い焚き用温度Ｔｎとするようにしている（ステップＳ８）。
【００４５】
ここで、沸き増し温度決定手段４３は沸き増し温度Ｔｂを決定するのみで、実際に沸き増し運転の要否は沸き増し判別手段４５によって決定され、沸き増し判別手段４５が沸き増し必要と判別すれば、沸き増し温度決定手段４３で決定されている沸き増し温度Ｔｂで沸き増し運転が行われるようにしている。
【００４６】
そして、現在時刻が所定時刻ｔ３（ここでは深夜時間帯の開始時刻）に到達すると、沸き増し温度決定手段４３は沸き増し温度Ｔｂを沸き上げ温度決定手段４３が決定した沸き上げ温度Ｔａに戻すようにしている（ステップＳ９）。
【００４７】
一方、ステップＳ２で追い焚き実施時刻記憶手段４２が追い焚き実施時刻ｔ１を全く記憶していない場合は、沸き増し温度決定手段４３は沸き増し温度Ｔｂを沸き上げ温度決定手段４３で決定した沸き上げ温度Ｔａに終日設定するようにしている（ステップＳ１０）。
【００４８】
このように、実際に過去の追い焚き実績のあった時刻の前の時間帯から沸き増し温度が高い温度に変更されるため、追い焚き運転が開始されるであろう時間帯の直前までは深夜時間帯の沸き上げ温度も含めて比較的低い温度で沸き上げ、沸き増しがされることとなり、追い焚き運転の開始までの間に貯湯タンクから放熱する熱ロスを低減できると共に、追い焚き実施時刻の直前（所定時間前）では追い焚き用温度で沸き増しされ、追い焚き運転の能力を適切に確保することができるものである。
【００４９】
また、追い焚き実施時刻記憶手段４２は、浴槽水の温度を所定温度以上昇温させる追い焚き運転を行った場合に、その時刻を記憶するようにしたので、追い焚き運転での消費熱量が多く、沸き増し温度を高くする必要性があると推測される場合に沸き増し温度が高くされ、追い焚き運転での消費熱量が少なく、沸き増し温度を高くする必要性がないと推測される場合には沸き増し温度は高くされないため、無駄に昇温する機会を抑制することができる。
【００５０】
なお、本発明は上記の一実施形態に限定されるものではなく、発明の要旨を逸脱しない範囲で改変が可能なものであり、例えば、風呂熱交換器１４を一次二次流路を有した熱交換器に変更して貯湯タンク１の外に配置し、一次側に貯湯タンク１の上部から取り出した湯を流通させる公知の構成としてもよいものである。
【００５１】
また、追い焚き実施時刻記憶手段４２は、追い焚き実施時刻を３０分単位の時刻にまるめて記憶する構成としたり、一時間単位の時刻にまるめて記憶する構成としてもよいものである。
【符号の説明】
【００５２】
１  貯湯タンク
２  給水管
６  給湯管
１１ａ〜ｅ  貯湯温度センサ
１４  風呂熱交換器
１５  浴槽
１６  風呂循環回路
１７  風呂循環ポンプ
２２  加熱循環回路
２４  加熱循環ポンプ
２６  沸き上げ温度センサ
３３  ヒートポンプ式加熱手段（加熱手段）
４１  追い焚き制御手段
４２  追い焚き実施時刻記憶手段
４３  沸き上げ温度決定手段
４４  沸き上げ制御手段
４５  沸き増し判別手段
４６  沸き増し制御手段
４７  沸き増し温度決定手段
ｔ１  追い焚き実施時刻
ｔ１ｎ  最先の追い焚き実施時刻
ｔ２  沸き増し温度変更時刻
ｔ３  所定の時刻（深夜時間帯開始時刻）
Ｔａ  沸き上げ温度
Ｔｂ  沸き増し温度
Ｔｎ  追い焚き用温度
【図１】
0006392619.tif 000002
【図２】
0006392619.tif 000003
【図３】
0006392619.tif 000004